(57)【要約】【課題】  棚板（載置棚）の組立作業を煩雑にすることなく、棚板の上面（載置面）の摩擦抵抗を減らすことができ、かつ、商品をサイズの異なる商品に陳列替えする場合でも手軽に行える商品陳列棚を提供すること。【解決手段】  前方に向かって傾斜した棚板２の傾斜面２ｄの左右方向略全域にわたって高滑り性能のシート材１０を配設して、滑りにくい紙製の容器Ｗであっても前方への移動がスムーズに行えるようにし、棚板２にはシート材面上で前後方向に連なる商品列を仕切る仕切板が係脱自在に複数設けられている。【選択図】  図２
2006239136.tif 000002
【特許請求の範囲】
【請求項１】
前方に向かって下方に傾斜した棚板の上面にシート材を配設し、該シート材上であって傾斜面に沿って陳列した複数の商品の最前列の商品をとる毎に、その後方の商品が前方に移動するようにした商品陳列棚において、前記シート材は高滑り性能を有し、かつ棚板の左右方向の略全域にわたって設けられるとともに、棚板に対する前方への移動が落下拘束手段によって停止されており、前記棚板にはシート材面上で前後方向に連なる商品列を仕切る仕切板が複数設けられていることを特徴とする商品陳列棚。
【請求項２】
前記仕切板は前後方向に延びる仕切部と、該仕切部の前後端近傍からそれぞれ下方に延びる一対の前脚部および後脚部で構成され、前記前後脚部の少なくとも一方と係脱可能な複数の被係合部が、前記棚板の左右方向に設けられている請求項１に記載の商品陳列棚。
【請求項３】
前記被係合部を前記棚板前方および後方の左右方向に設けた複数の被係合孔とし、前記仕切板の前脚部は前方の被係合孔と係脱可能であり、前記仕切板の後脚部は後方の被係合孔と係脱可能である請求項２に記載の商品陳列棚。
【請求項４】
前記被係合部を前記傾斜面前方の左右方向に設けた複数の被係合孔とし、前記仕切板の前脚部は該被係合孔と係脱可能であり、前記仕切板の後脚部は棚板後側面に当接している請求項２に記載の商品陳列棚。
【請求項５】
前記落下拘束手段は前記仕切板の前脚部に前記シート材の前端部を当接させたものである請求項２乃至４のいずれかに記載の商品陳列棚。
【請求項６】
前記落下拘束手段は前記仕切板の仕切部から下方に延びる延長部に前記シート材の前端部を当接させたものである請求項２乃至４のいずれかに記載の商品陳列棚。
【請求項７】
前記仕切板の前脚部又は延長部と当接するシート材の前端部に切欠部を形成し、該切欠部を少なくとも２つの仕切板の前脚部又は延長部の側面と当接させてシート材の左右方向の移動を停止させた請求項５または６に記載の商品陳列棚。
【請求項８】
前記シート材の左右方向の幅を、前記棚板の左右方向の幅よりも若干大きくし、前記棚板から突設した左右端部を下方に屈曲させた屈曲部を、前記棚板の側面に被嵌させてシート材の左右方向の移動を停止させた請求項１乃至６のいずれかに記載の商品陳列棚。
【発明の詳細な説明】
【技術分野】
【０００１】
本発明は、前方側が下がるように傾斜された棚板の上面に、前後方向を向く複数の仕切板を適宜の間隔をおいて設け、棚板に載置される商品が、自重により棚板の前方側へと移動する商品陳列棚に関する。
【背景技術】
【０００２】
従来、スーパーやコンビニエンス・ストアー等の商品売り場に設置される商品陳列棚において、前方側が下がるように傾斜された物品載置棚の載置面と、この載置面上に陳列される商品との間の摩擦抵抗と減らして商品を摺動し易くするために、ポリスチレン樹脂等により成形された摩擦抵抗の低い棒状部材を載置面に配設させ、この棒状部材上に陳列される複数の商品の内、前方側に位置する商品が客によって取り出されると、その後方側に位置する複数の商品が自重によって棒状部材上を滑りながら前方側に移動され、客が商品を常に商品陳列棚の前方側から取り出せるようにしたものがある（例えば、特許文献１参照）。
【０００３】
【特許文献１】特開平８−１０１０８号公報（第４頁、第６図）
【発明の開示】
【発明が解決しようとする課題】
【０００４】
しかしながら、特許文献１にあっては、ポリスチレン樹脂等で成形された棒状部材を載置面上に配設するために、棒状部材を載置棚に固定するためのリテーナ等の固定手段が必要となっており、このリテーナは、断面が円形状や矩形状を成す棒状部材に嵌合させるために、複雑な形状に成形する必要があるとともに、複数のリテーナを載置面上に互いに平行になるように固着させなければならず、載置棚の組立作業が煩雑になる。また、棒状部材の配置間隔が商品サイズに対応して設定されているため、商品サイズの異なる商品を陳列しようとしたときに、棒状部材の配置を換えなければならない不都合が生じることもあった。
【０００５】
本発明は、このような問題点に着目してなされたもので、棚板（載置棚）の組立作業を煩雑にすることなく、棚板の上面（載置面）の摩擦抵抗を減らすことができ、かつ、商品をサイズの異なる商品に陳列替えする場合でも手軽に行える商品陳列棚を提供することを目的とする。
【課題を解決するための手段】
【０００６】
前記課題を解決するために、本発明の請求項１に記載の商品陳列棚は、前方に向かって下方に傾斜した棚板の上面にシート材を配設し、該シート材上であって傾斜面に沿って陳列した複数の商品の最前列の商品をとる毎に、その後方の商品が前方に移動するようにした商品陳列棚において、前記シート材は高滑り性能を有し、かつ棚板の左右方向の略全域にわたって設けられるとともに、棚板に対する前方への移動が落下拘束手段によって停止されており、前記棚板にはシート材面上で前後方向に連なる商品列を仕切る仕切板が複数設けられていることを特徴としている。
この特徴によれば、棚板と、高滑り性能のシート材とが別構成の部品であるので、従来の棚板、あるいはある程度滑り性のある棚板に容易に付加して用いることができ、たとえ滑りにくい紙製の容器であっても前方への移動がスムーズであり、かつ棚板の左右方向の略全域にわたって設けられているシート材はそのままにして仕切板の配設位置を商品サイズに合わせて移設することで陳列替えに手軽に対応できる。加えて落下拘束手段によってシート材が棚板から前方に滑り落ちることがなく、しかもシート材を落下拘束手段から解放することで、シート材を棚板から分離して棚板やシート材の清掃、あるいはシート材の交換を容易に行うことができる。
【０００７】
本発明の請求項２に記載の商品陳列棚は、請求項１に記載の商品陳列棚であって、前記仕切板は前後方向に延びる仕切部と、該仕切部の前後端近傍からそれぞれ下方に延びる一対の前脚部および後脚部で構成され、前記前後脚部の少なくとも一方と係脱可能な複数の被係合部が、前記棚板の左右方向に設けられていることを特徴としている。
この特徴によれば、棚板には前後脚部の少なくとの一方と係脱可能な複数の被係合部が設けられているので、商品サイズに合わせて仕切板の位置を容易に変更できる。
【０００８】
本発明の請求項３に記載の商品陳列棚は、請求項２に記載の商品陳列棚であって、前記被係合部を前記棚板前方および後方の左右方向に設けた複数の被係合孔とし、前記仕切板の前脚部は前方の被係合孔と係脱可能であり、前記仕切板の後脚部は後方の被係合孔と係脱可能であることを特徴としている。
この特徴によれば、棚板面の前方と後方にそれぞれ設けた複数の被係合孔を選択して仕切板の前後脚部を係合することで、仕切板を任意位置に取付けることができ、かつ仕切板が２つの被係合孔により保持されるので傾倒する恐れがなく確実に立設できる。
【０００９】
本発明の請求項４に記載の商品陳列棚は、請求項２に記載の商品陳列棚であって、前記被係合部を前記傾斜面前方の左右方向に設けた複数の被係合孔とし、前記仕切板の前脚部は該被係合孔と係脱可能であり、前記仕切板の後脚部は棚板後側面に当接していることを特徴としている。
この特徴によれば、棚板面の前方に設けた複数の被係合孔を選択して仕切板の前脚部を係合することで、仕切板を任意位置に取付けることができ、かつ仕切板の後脚部が棚板後側面に当接しているだけなので、仕切板の取り外しが容易に行える。
【００１０】
本発明の請求項５に記載の商品陳列棚は、請求項２乃至４のいずれかに記載の商品陳列棚であって、前記落下拘束手段は前記仕切板の前脚部に前記シート材の前端部を当接させたものであることを特徴としている。
この特徴によれば、特別な落下拘束手段を棚板に講じることなく、仕切板の前脚部を利用して、シート材の前方への移動を停止させることができる。
【００１１】
本発明の請求項６に記載の商品陳列棚は、請求項２乃至４のいずれかに記載の商品陳列棚であって、前記落下拘束手段は前記仕切板の仕切部から下方に延びる延長部に前記シート材の前端部を当接させたものであることを特徴としている。
この特徴によれば、仕切板の下方に延びる延長部を利用して、シート材の前方への移動を停止させることができ、しかも延長部の形成位置を適宜選定することによりシート材を任意の位置で停止させることができる。さらに、棚板の前端部から後方の延長部にかけては、高滑り性能を有するシート材が敷かれていないので、最前列の商品をとったときに、後続の商品が棚板前端部に設けられている商品の落下防止具等に勢いよく当接することが回避される。
【００１２】
本発明の請求項７に記載の商品陳列棚は、請求項５または６に記載の商品陳列棚であって、前記仕切板の前脚部又は延長部と当接するシート材の前端部に切欠部を形成し、該切欠部を少なくとも２つの仕切板の前脚部又は延長部の側面と当接させてシート材の左右方向の移動を停止させたことを特徴としている。
この特徴によれば、仕切板の前脚部又は延長部を利用してシート材の前方への移動と左右動を抑えることができ、商品の移動によってもシート材が棚板上に確実に移動不能に保持できる。
【００１３】
本発明の請求項８に記載の商品陳列棚は、請求項１乃至６のいずれかに記載の商品陳列棚であって、前記シート材の左右方向の幅を、前記棚板の左右方向の幅よりも若干大きくし、前記棚板から突設した左右端部を下方に屈曲させた屈曲部を、前記棚板の側面に被嵌させてシート材の左右方向の移動を停止させたことを特徴としている。
この特徴によれば、シート材の左右端部を下方に屈曲させ、棚板の側面に被嵌させるだけでシート材の左右方向への移動を容易に拘束できる。
【発明を実施するための最良の形態】
【００１４】
本発明の実施例を以下に説明する。
【実施例１】
【００１５】
図１は、商品陳列棚の全体像を示す斜視図であり、図２（ａ）は、シート板および落下防止具を棚板に取り付ける過程を示す分解組立斜視図であり、図２（ｂ）は、棚板の組立完成斜視図であり、図３（ａ）は、シート板の表面を示す要部拡大平面図であり、図３（ｂ）は、図３（ａ）のＡ−Ａ線の断面図であり、図４は、商品の取り出しにともなう他の陳列商品の移動過程を示す棚板と、その周辺部を示す要部拡大側断面図である。この商品陳列棚は、スーパーやコンビニエンス・ストアー等の商品売り場に設置されており、商品陳列棚に複数の商品を数多く載置して、消費者が直に商品の取り出しを行えるようになっている。
【００１６】
本発明の実施例１を図面に基づいて説明すると、商品陳列棚１は図1に示されるように、床面に棚板２を設けた載置台５が設けられ、載置台５の後方に床面から上下方向に延びる脚柱３が左右に一対にて所定間隔離間されて立設されている。両脚柱３，３の上端部には横架材８が挟持されるように設けられており、これら左右の脚柱３，３、載置台５、横架材８によって枠体が構成されている。この枠体の脚柱３間に背面板６が嵌合して取り付けられている。
【００１７】
両脚柱３，３にはそれぞれ係合穴３ａが上下方向に複数形成され、背面板６の所定の高さ位置には上下方向に棚板２が複数段（本実施例では３段）設けられている。これら棚板２は脚柱３の係合穴３ａに予め取り付けられた板金状のブラケット９の上端に載置され係止されている。以下、本実施例では商品陳列棚１の正面側を前方とし、商品陳列棚１の背面側を後方として説明する。
【００１８】
棚板２の上面は後方から前方に向けて緩やかな傾斜角度が形成されており、棚板２の前端部にはアクリル板などで構成された商品落下防止用の落下防止具４が設けられている。なお、落下防止具４としては従来公知の商品値札用のプライスレールも含まれる（図１参照）。この棚板２の上面には、金属板で形成された後で詳述する仕切板７が前後方向に向けて複数（本実施例では４本）立設されており、棚板２の左右の長さ方向に所定間隔離間されて配置されることで、棚板２上面が複数に区画（本実施例では３つに区画）されている。
【００１９】
棚板２の前端部より若干後方に離間された位置から棚板２の後端部に掛けては、後で詳述するシート材に相当する薄板状のシート板１０が傾斜面の左右長手方向に沿って載置され、各仕切板７の区画毎に複数の商品Ｗ（本実施例では飲料等の紙パック商品）が前後方向に並べて陳列され、落下防止具４によって最前位置の商品Ｗの落下が防止されている。
【００２０】
まず、棚板２について具体的に説明すると、図２（ａ）に示されるように棚板２の傾斜面２ｄの前端部２ａ近傍には、左右方向に向かって延びる上方に開口する取付孔２ｅが形成され、落下防止部４の下端部を挿し込むだけで取り付け可能になっている。さらに、取付孔２ｅの近傍位置後方には被係合部に相当する係合孔２ｇ（被係合孔）が左右方向に複数形成され、棚板２の後端部２ｂにも同様に、被係合部に相当する係合孔２ｈ（被係合孔）が左右方向に複数形成されている。傾斜面２ｄに載置されるシート板１０は、棚板２の左右方向に長さに合わせた矩形状の一枚板の載置部１０ａから構成され、傾斜面２ｄの左右方向の略全域を覆うように載置される。
【００２１】
図２（ｂ）に示されるように傾斜面２ｄにはシート板１０の載置部１０ａの前端部が係合孔２ｇを覆わないように載置されている。このシート板１０の上方より取り付けられる前述の仕切板７には、棚板２の前後方向に延びる仕切部７ｄと、この仕切部７ｄの前後端近傍からそれぞれ下方に延びる一対の落下拘束手段である前脚部７ａと後脚部７ｂが形成され、仕切板７の後脚部７ｂを係合孔２ｈに嵌合させながら、仕切板７の前端下方に形成された前脚部７ａを係合孔２ｇに挿し込むことで、棚板２に簡便かつ確実に取り付けられている。このように、仕切板７が２つの係合孔２ｇ，２ｈにより保持されるので傾倒する恐れがなく確実に立設できる。
【００２２】
しかも、載置部１０ａの前端部が仕切板７の前脚部７ａで係止されるため、シート板１０の前方への移動が防止され、シート板１０の載置位置が規定される。また、棚板２には複数の係合孔２ｇ，２ｈを形成させたことで、商品Ｗのサイズに合わせて仕切板７の位置を容易に変更できるとともに、傾斜面２ｄを左右方向に複数区画でき、例えば商品Ｗの種類に応じて区分して載置可能になっている。
【００２３】
次いで、シート板１０について詳細に説明すると、図３（ａ）及び図３（ｂ）に示されるように、シート板１０は、プラスチック等の材質で形成された基材１１と、表面にエンボス加工が施された薄膜状のエンボスシート１２と、エンボスシート１２の表面に塗布された塗膜１３とで構成されている。つまり、保持板である基材１１に薄膜体であるエンボスシート１２を貼着したものである。
【００２４】
このエンボスシート１２の表面には、複数の微小な突起１４が形成されるとともに、このエンボスシート１２の表面にケイ素樹脂を５〜１０％の割合で含有させたポリエチレン樹脂が塗布されることで、塗膜１３が形成されている。エンボスシート１２は、接着剤等を用いて基材１１の上面に貼り付けられている。尚、本実施例では、塗膜１３にケイ素樹脂が含有されていたが、ケイ素樹脂に限らず、フッ素樹脂またはモリブデンが塗膜１３に含有されていてもよい。
【００２５】
図３（ａ）に示されるように、エンボスシート１２の厚みはエンボス加工が施し易いように、０．２〜０．５ｍｍで形成されている。更にこのエンボスシート１２の表面に形成された複数の突起１４は、同一直径（本実施例では０．２〜１．０ｍｍ）、及び同一高さ（本実施例では０．１〜０．４ｍｍ）で形成されており、それぞれの突起同士の間隔が０．５〜１．５ｍｍで配置されている。尚、本実施例では突起１４の面積に対する占有率は５〜６０％の範囲内となっている。
【００２６】
このようにして、シート板１０を構成する基材１１の表面にエンボスシート１２が貼り付けられ、かつエンボスシート１２の表面に塗膜１３が塗布されていることで、滑り性能が高められており、シート板１０の上面に載置された商品Ｗを摺動し易い構成となっている。さらに、複数の突起１４によってシート板１０の上面の商品Ｗとの接触面積がより制限され摩擦抵抗が低く抑えられている。
【００２７】
次に、図４に示されるようにブラケット９の後部に形成された係止溝９ａに棚板２の後端部２ｂを係合させることで、棚板２が安定してブラケット９に位置固定されており、シート板１０を備えた棚板２には複数の商品Ｗが陳列されている。そこで、最前列の商品Ｗが利用者によって抜き取られると、前述において説明したシート板１０の高滑り性能により陳列された複数の商品Ｗが自重によって棚板２の傾斜面２ｄに沿って前方に円滑に移動されていく。さらに左右の仕切板７によって、商品Ｗの左右移動のブレの発生が防止され前方に案内される。
【００２８】
そこで、例えば商品を棚板２に補充する店員は、棚板２上の商品Ｗを並び直す手間が省けるとともに、特に図示しないが、陳列された商品Ｗの最後部の後方のスペースより新たな商品Ｗを補充するだけで、常に商品を棚板２の前端部２ａに位置させることができるとともに、店の利用者に棚板２の後方まで手を伸ばさせて商品Ｗを取らせる手間も生じさせない。
【００２９】
この図示される商品Ｗのように紙製の容器であっても、シート板１０の表面に形成された複数の突起１４は微小に形成されているため、商品Ｗの移動時においても引っ掛かりを生じさせない構成となっており、棚板２の前端部２ａ方向への移動がスムーズに行われる。さらに、シート板１０を傾斜面２ｄの略全域に渡って設けた事で、シート板１０のどの載置部１０ａに商品Ｗが載置された場合であっても、シート板１０の高滑り性能により商品Ｗの自重で前方に移動させることができる。
【００３０】
なお、商品Ｗの前方移動による摺動によって、シート板１０に前方へ向けて摩擦が加えられても、載置部１０ａの前端部が仕切板７の前脚部７ａに当接されていることから、棚板２側に新たに特別な落下拘束手段を設ける必要はないことは言うまでもなく、前脚部７ａを利用したことにより、シート板１０の前方への移動を容易に停止して、傾斜面２ｄに対して常に安定した状態で位置固定できる。
【００３１】
しかも、仕切板７は前方部を持ち上げながら、係合孔２ｇから前脚部７ａの係合を解除させつつ、係合孔２ｈから後脚部７ｂの係合を解除するだけで容易に取り外しを行えるので、シート板１０を棚板２から分離して棚板２や仕切板７の清掃、あるいは仕切板７の交換も容易に行うことができ、簡便に商品陳列棚１の利用形態に応じることができる。
【００３２】
したがって、棚板２の組立作業を煩雑にすることなく、高滑り性能のシート板１０を利用することで、棚板２の傾斜面の摩擦抵抗を減らすことができ、かつ、商品Ｗをサイズの異なる商品に陳列替えする場合であっても、棚板２の左右方向の略全域にわたって設けられているシート板１０を移動させることなく、そのままの状態にして仕切板７の交換および移動のみを手軽に行うことができ、商品Ｗの陳列替えにも手軽に対応できる商品陳列棚１となる（図１参照）。
【実施例２】
【００３３】
次に、本発明の実施例２を図５に基づいて説明する。図５（ａ）は、シート板を棚板に取り付ける過程を示す分解組立斜視図であり、図５（ｂ）は、仕切板の取り付ける過程を示す分解組立斜視図である。なお、以下の実施例２において前述の実施例１と同様の構造部分に関しては、同一の符号を付すことにより詳細な説明は省略することにする。
【００３４】
図５（ａ）に示されるように棚板２’の傾斜面２ｄの前方位置には、被係合部に相当する係合孔２ｇが左右方向に複数形成され、傾斜面２ｄの後方位置にも同様に、被係合部に相当する係合孔２ｈ’が左右方向に複数形成されている。傾斜面２ｄに載置されるシート板１０’は、棚板２’の左右方向に長さに合わせた矩形状の一枚板の載置部１０ａから構成され、傾斜面２ｄの左右方向の略全域を覆うように載置される。このシート板１０’の上面は実施例１と同様に、特に図示しないがエンボスシート１２の表面に塗膜１３が塗布され滑り性能が高められている。
【００３５】
図５（ｂ）に示されるように傾斜面２ｄには、シート板１０’の載置部１０ａの前端部が係合孔２ｇを覆わないように載置されている。このシート板１０’の上方より取り付けられる仕切板７’には、棚板２’の前後方向に延びる仕切部７ｄと、この仕切部７ｄの前後端近傍からそれぞれ下方に延びる側面視逆Ｔ字の一対の落下拘束手段である前脚部７ａ’と後脚部７ｂ’が形成されている。
【００３６】
そこで、仕切板７’の前脚部７ａ’を係合孔２ｇに介挿させるとともに、後脚部７ｂ’も係合孔２ｈ’に介挿させ、さらに仕切部７ｄを前方へ移動させることで、前脚部７ａ’が係合孔２ｇが嵌入されるとともに、後脚部７ｂ’が係合孔２ｈ’が嵌入されて、棚板２に仕切板７’が固定される。シート板１０’の前端部および後端部が前脚部７ａ’および後脚部７ｂ’で保持され、シート板１０’の前方への移動が防止される。
【００３７】
このように、仕切板７’が２つの係合孔２ｇ，２ｈにより保持されるので傾倒する恐れがなく確実に立設できる。しかも、仕切板７’を取り付けと逆の工程作業で簡便に取り外すことができるので、棚板２’に商品Ｗが陳列された状態でも棚板’を移動させずに仕切板７’のみの移動や交換等を容易に行える。
【実施例３】
【００３８】
次に、本発明の実施例３を図６に基づいて説明する。図６（ａ）は、シート板を棚板に取り付ける過程を示す分解組立斜視図であり、図６（ｂ）は、仕切板の取り付ける過程を示す分解組立斜視図である。なお、以下の実施例３において前述の実施例２と同様の構造部分に関しては、同一の符号を付すことにより詳細な説明は省略することにする。
【００３９】
図６（ａ）に示されるように、棚板２’’の傾斜面２ｄの前方位置および後方位置には、係合孔２ｇおよび係合孔２ｈ’が左右方向に複数形成されている。傾斜面２ｄに載置されるシート板１０’’は、前述した実施例２の棚板２’の前後の長さよりも前端が後方に向けて所定間隔短くなっている。
【００４０】
図６（ｂ）に示されるように傾斜面２ｄには、シート板１０’’の前端部が係合孔２ｇよりも所定間隔後方に離間されて載置されている。このシート板１０’’の上面は実施例２と同様に、特に図示しないがエンボスシート１２の表面に塗膜１３が塗布され滑り性能が高められている。
【００４１】
このシート板１０’’の上方より取り付けられる仕切板７’’には仕切部７ｄと、この仕切部７ｄの前後端近傍から一対の前脚部７ａ’および後脚部７ｂ’が形成され、前脚部７ａ’から後方に向けて所定間隔離間させた仕切部７ｄの下面位置に下方に向けて落下拘束手段である延長部７ｃが延設されている。
【００４２】
そこで、仕切板７’’の前脚部７ａ’および後脚部７ｂ’を係合孔２ｇおよび係合孔２ｈ’にそれぞれ係合固定させることで棚板２に取り付けられ、延長部７ｃは棚板２の傾斜面２ｄに近接した位置で保持されるので、シート板１０の前方への移動をこの延長部７ｃで停止させることができる。しかも延長部７ｃの形成位置を適宜選定することによりシート板１０を任意の位置で停止させることができ前方への滑りが確実に規制される。
【００４３】
このように、棚板２の前端部２ａから延長部７ｃまでは所定間隔離間され、この所定間隔距離は高滑り性能を有するシート板１０が敷かれていないので、最前列の商品Ｗをとったときに、後続の商品Ｗが棚板前端部２ａに位置に設けられた商品の落下防止具４に勢いよく当接することが回避される。
【００４４】
次に、上記実施例３の変形例を図７に基づいて説明する。図７（ａ）は、本発明の実施例３における第１変形例のシート板を示し、このシート材を棚板に取り付けた完成斜視図であり、図７（ｂ）は、第２変形例のシート板を示す斜視図である。なお、以下の変形例において前述の実施例２と同様の構造部分に関しては、同一の符号を付すことにより詳細な説明は省略するとともに、落下防止具４を図示せずに省略して説明する。
【第１変形例】
【００４５】
まず、図７（ａ）に示されるように、シート板３０の前端部の中央には両端を残して切欠部３０ａを形成させ、この切欠部３０ａの内側面を左右両端に位置する仕切板７’’，７’’の延長部７ｃ，７ｃの外側にそれぞれ当接させることで、例えば商品Ｗの前方への移動による振動等によっても、シート板３０の前方及び左右の移動が確実に防止されるので、棚板２上にシート板３０が移動不能に保持される。
【第２変形例】
【００４６】
次いで、図７（ｂ）に示されるように、シート板４０の前端部の左右両端には切欠部４０ａ，４０ａ’がそれぞれ形成され、この切欠部４０ａ，４０ａ’の側面を左右両端に位置する仕切板７’’，７’’の延長部７ｃ，７ｃの内側にそれぞれ当接させることで、この延長部７ｃ，７ｃ間にシート板４０が保持されるので、シート板４０の左右動が確実に抑えられている。
【００４７】
なお、第１および第２変形例ではシート板３０，４０の前端部を延長部７ｃの側面に当接させ左右の移動を不能にしているが、延長部７ｃを設けない仕切板７，７’では前脚部７ａ，７ａ’の側面にシート板３０，４０’を当接させ左右の移動を規制するようにしてもよい。
【実施例４】
【００４８】
次に、本発明の実施例４を図８に基づいて説明する。図８（ａ）は、シート板を棚板に取り付ける過程を示す分解組立斜視図であり、図８（ｂ）は、仕切板の取り付ける過程を示す分解組立斜視図である。なお、以下の実施例４において前述の実施例１と同様の構造部分に関しては、同一の符号を付すことにより詳細な説明は省略することにする。
【００４９】
図８（ａ）に示されるように、シート板５０は左右長手方向に延設され、棚板２の傾斜部２ｄの左右方向の幅よりも若干大きく形成された載置部１０ｂと、この載置部５０ｂの左右端部からそれぞれ下方に向けて屈曲された側端屈曲部５０ａ，５０ａ’で構成されており、このシート板５０の上面は実施例１と同様に、特に図示しないがエンボスシート１２の表面に塗膜１３が塗布され滑り性能が高められている。
【００５０】
そこで、シート板５０を矢印に示されるように下方に向けて移動させながら、側端屈曲部５０ａ，５０ａ’を棚板２の両側部２ｃ，２ｃ’に被嵌させていき、図８（ｂ）に示されるように、載置部５０ｂを棚板２の傾斜面２ｄの左右方向の略全域を覆うように載置させる。そして、仕切板７を棚板２に取り付け前脚部７ａでシート板５０のさらなる前方への移動を停止させる。
【００５１】
以上の説明により実施例４では、シート板５０の左右端部を下方に屈曲させ、棚板２の側部２ｃ，２ｃ’に被嵌させるだけでシート板５０の左右方向への移動を容易に拘束でき、かつ回転振れも防止でき、シート板５０をより安定した状態で棚板２上に配設可能となる。
【００５２】
以上、本発明の実施例を図面により説明してきたが、具体的な構成はこれら実施例に限られるものではなく、本発明の要旨を逸脱しない範囲における変更や追加があっても本発明に含まれ、例えば上記実施例１では、仕切板７の後脚部７ｂを棚板後端部２ｂの係合孔２ｈに係止させた例で説明しているが、本発明はこれに限定されるものではなく、後脚部７ｂを後端部２ｂの側面に当接させるようにしてもよい。これにより仕切板７の取り外し作業を容易に行うことができる。
【図面の簡単な説明】
【００５３】
【図１】本発明の実施例１における商品陳列棚の全体像を示す斜視図である。
【図２】（ａ）は、シート板および落下防止具を棚板に取り付ける過程を示す分解組立斜視図であり、（ｂ）は、シート板の取り付け完成斜視図である。
【図３】（ａ）は、シート板の表面を示す要部拡大平面図であり、（ｂ）は、（ａ）のＡ−Ａ線の断面図である。
【図４】商品の取り出しにともなう他の陳列商品の移動過程を示す棚板と、その周辺部を示す要部拡大側断面図である。
【図５】（ａ）は、本発明の実施例２におけるシート板を棚板に取り付ける過程を示す分解組立斜視図であり、（ｂ）は、仕切板の取り付ける過程を示す分解組立斜視図である。
【図６】（ａ）は、本発明の実施例３におけるシート板を棚板に取り付ける過程を示す分解組立斜視図であり、（ｂ）は、仕切板の取り付ける過程を示す分解組立斜視図である。
【図７】（ａ）は、本発明の実施例３における第１変形例のシート板を示し、このシート材を棚板に取り付けた完成斜視図であり、（ｂ）は、第２変形例のシート板を示す斜視図である。
【図８】（ａ）は、本発明の実施例４におけるシート板を棚板に取り付ける過程を示す分解組立斜視図であり、（ｂ）は、シート板の取り付け完成斜視図である。
【符号の説明】
【００５４】
１                      商品陳列棚
２、２’、２’’          棚板
２ａ                    前端部
２ｂ                    後端部
２ｃ，２ｃ’            側部
２ｄ                    傾斜面
２ｅ                    取付孔
２ｆ                    突片
２ｇ，２ｈ，２ｈ’      係合孔（被係合部に相当する被係合孔）
３                      脚柱
３ａ                    係合穴
４                      落下防止具（商品の落下防止具）
５                      載置台
６                      背面板
７、７’、７’’          仕切板
７ａ、７ａ’            前脚部（落下拘束手段）
７ｂ、７ｂ’            後脚部
７ｃ                    延長部（落下拘束手段）
７ｄ                    仕切部
８                      横架材
９                      ブラケット
９ａ                    係止溝
１０、１０’、１０’’    シート板（シート材）
１０ａ                  載置部
１１                    基材
１２、１２’            エンボスシート
１３                    塗膜
１４                    突起
１５、１５’            当接片
３０、４０              シート板（シート材）
３０ａ                  切欠部
４０ａ、４０ａ’        切欠部
５０                    シート板（シート材）
５０ａ，５０ａ’        側部屈曲部（屈曲部）
５０ｂ                  載置部
Ｗ                      商品
【図１】
2006239136.tif 000003
【図２】
2006239136.tif 000004
【図３】
2006239136.tif 000005
【図４】
2006239136.tif 000006
【図５】
2006239136.tif 000007
【図６】
2006239136.tif 000008
【図７】
2006239136.tif 000009
【図８】
2006239136.tif 000010